(57)【特許請求の範囲】
【請求項１】
上部中空材と下部中空材とが嵌合して形成された中空材本体が連結部材で適宜間隔をもって連結され、これら中空材本体の上部中空材と下部中空材との嵌合部にわたって連結補強材が挟み込まれたことを特徴とする中空材ユニット。
【請求項２】
上部中空材および下部中空材の中空内には対向面にわたって、連結補強材を設置する補強部材が形成されたことを特徴とする請求項１に記載の中空材ユニット。
【請求項３】
連結補強材は、中空材本体をコンクリートスラブに配置した際に、スラブ上端筋の近傍に位置する高さに挟み込まれたことを特徴とする請求項１または２に記載の中空材ユニット。
【請求項４】
上部中空材同士と下部中空材同士のうちの少なくとも一方が連結部材で一体形成されたことを特徴とする請求項１〜３のいずれかに記載の中空材ユニット。
【請求項５】
下部中空材同士は上下二段の連結部材で一体形成されたことを特徴とする請求項４に記載の中空材ユニット。
【請求項６】
連結部材は硬質部材で補強されたことを特徴とする請求項１〜５のいずれかに記載の中空材ユニット。
【請求項７】
上部中空材または下部中空材が半球形であり、これらの中空材を嵌合してカプセル形の中空材本体を形成したことを特徴とする請求項１〜６のいずれかに記載の中空材ユニット。
【請求項８】
上部中空材の代わりにシートが接着されたことを特徴とする請求項１〜７のいずれかに記載の中空材ユニット。
【請求項９】
請求項１〜７のいずれかの中空材ユニットが反転され、かつ上部中空体および連結補強材が撤去された状態でコンクリート板の上面に設置されたことを特徴とするプレキャストコンクリート板。
【請求項１０】
請求項１〜８のいずれかの中空材ユニットがコンクリート内に埋設されたことを特徴とするコンクリートスラブ。
【発明の詳細な説明】
【０００１】
【発明の属する技術分野】
本発明は中空材ユニットと、この中空材ユニットを用いたプレキャストコンクリート板およびコンクリートスラブに関するものである。
【０００２】
【従来の技術】
従来、中空スラブに埋設される中空材ユニットに格子状の連結補強材を取り付けるには、特願２００２−１３６９７７号に示すように、溝を形成して嵌め込むか、中空材ユニットの製造時に一体成形するしかなかった。
【０００３】
【特許文献１】
特願２００２−１３６９７７号公報
【０００４】
【発明が解決しようとする課題】
しかし、上記のように溝に嵌め込むものは、中空スラブの組立時やコンクリートの打設時に作業者が中空材ユニットの上に載って作業をすると、連結補強筋が外れてしまう恐れがあった。
また中空材ユニットと一体成形するものは、中空材の自動生産が困難であるためコスト高になるといった問題があった。
【０００５】
本発明は上記のような問題に鑑みてなされたものであり、その目的は、中空材本体に連結補強筋が簡単、かつ強固に取り付けられる中空材ユニットを提供することである。
【０００６】
【課題を解決するための手段】
以上の課題を解決するための中空材ユニットの要旨は、上部中空材と下部中空材とが嵌合して形成された中空材本体が連結部材で適宜間隔をもって連結され、これら中空材本体の上部中空材と下部中空材との嵌合部にわたって連結補強材が挟み込まれたことを特徴とする構成である。また上部中空材および下部中空材の中空内には対向面にわたって、連結補強材を設置する補強部材が形成されたことを含む。また連結補強材は、中空材本体をコンクリートスラブに配置した際に、スラブ上端筋の近傍に位置する高さに挟み込まれたことを含む。また上部中空材同士と下部中空材同士のうちの少なくとも一方が連結部材で一体形成されたことを含む。また下部中空材同士は上下二段の連結部材で連結されたことを含む。また連結部材は硬質部材で補強されたことを含む。また上部中空材または下部中空材が半球形であり、これらの中空材を嵌合してカプセル形の中空材本体を形成したことを含む。また上部中空材の代わりにシートが接着されたことを含むものである。
またプレキャストコンクリート板の要旨は、上記の中空材ユニットが反転され、かつ上部中空体と連結補強材とが撤去された状態でコンクリート板の上面に設置されたことを特徴とする構成である。
またコンクリートスラブは、上部中空材と下部中空材とが嵌合して形成された中空材本体が連結部材で適宜間隔をもって連結され、これらの中空材本体の嵌合部にわたって連結補強材が挟み込まれてなる中空材ユニットがコンクリート内に埋設されたことを特徴とする構成である。また上部中空材および下部中空材の中空内には対向面にわたって補強部材が形成されたことを含む。また連結補強材は、中空材本体をコンクリートスラブに配置した際に、スラブ上端筋の近傍に位置する高さに挟み込まれたことを含む。また上部中空材同士と下部中空材同士のうちの少なくとも一方が連結部材で一体形成されたことを含む。また下部中空材同士は上下二段の連結部材で連結されたことを含む。また連結部材は硬質部材で補強されたことを含む。また上部中空材または下部中空材が半球形であり、これらの中空材を嵌合してカプセル形の中空材本体を形成したことを含む。
【０００７】
中空材ユニットの形成において、下部中空材の上に連結補強筋を設置して上部中空材をはめ込むと、連結補強筋が下部中空材と上部中空材との嵌合部に簡単に挟み込まれる。
また中空材ユニットを型枠に設置した場合、中空材本体が格子の交差部で押さえ付けられるので、コンクリートの打設による浮き上がりを防ぐことができる。また上部中空材および下部中空材の中空内に形成された補強部材により、中空材ユニットを型枠に設置した場合、作業者が中空材本体の上に載って作業できる強度を有することになる。
また中空材本体をスラブ型枠に配置した際に、連結補強材をスラブ上端筋に連結しやすくなる。
また上部中空体の代わりに接着されたシートでも、連結補強材を十分に固定することができる。
また下部中空材同士が上下二段の連結部材で連結されたことにより、スラブ型枠に配置してコンクリートを打設したときに、下部中空材が互いにずれるのを防ぐことができる。
また中空材ユニットを型枠に設置した場合、連結部材を硬質部材で補強しているため、コンクリートの打設による浮き上がりによる押さえ付けでへこむことがない。また連結補強材を硬質の連結部材で代替えすることができる。
空隙率の高いプレキャストコンクリート板およびコンクリートスラブを構築することができる
【０００８】
【発明の実施の形態】
以下、本発明の中空材ユニットの実施の形態を図面に基づいて説明する。また各実施の形態において同じ構成は同じ符号を付して説明し、異なった構成にのみ異なった符号を付して説明する。
【０００９】
図１は第１の実施の形態の中空材ユニット１を示したものである。この中空材ユニット１は、上部ユニット２と下部ユニット３とが嵌合され、これらの嵌合部４にわたって鉄筋などの連結補強材５が挟み込まれて構成されている。
【００１０】
上部ユニット２は、図３に示すように、発泡材で成形されたカプセル形の中空材本体６を水平方向で分割した半球形の上部中空材７同士が連結部材８で一体的に連結されて構成され、後述する下部中空材９の嵌合突起１１が嵌め込まれる嵌合溝１０が形成されている。この嵌合溝１０は中心を通った一方向（図では縦方向）に形成され、上部に向かって漸次幅狭な逆Ｖ字形になっている。また上部中空材７の中空内には対向面にわたって補強部材７ａが一体的に形成されている。
【００１１】
一方、下部ユニット３は、図４に示すように、前記中空材本体６の片割れである下部中空材９同士が連結部材８で一体的に連結されて構成されている。また下部中空材の中空内には対向面にわたって空間を仕切る平面十字形の補強部材９ａが形成され、一方の補強部材９ａには嵌合突起１１が上面から突出するように一体形成され、該嵌合突起１１の頂部に連結補強材５を設置した凹溝１２が形成されている。この嵌合突起１１は上部中空材７の嵌合溝１０に嵌め込まれて、上部中空材の補強部材となるものであり、この嵌合溝１０と同じく上部に向かって漸次幅狭な逆Ｖ字形になっている。このように連結補強材を一方向に設置した丸鋼として、溶接金網の代替えとすることにより、経済性を高めることができる。
【００１２】
そして、この嵌合突起１１が嵌合溝１０に嵌合されると、連結補強材５が押さえ付けられて、上部ユニット２と下部ユニット３との嵌合部４に挟み込まれる。よって、上部ユニット２と下部ユニット３との嵌合部４に連結補強材５が挟み込まれた中空材ユニット１が簡単に形成できる。また、上記の連結補強材５は、中空材本体６がコンクリートスラブに配置された際に、スラブ上端筋の近傍に位置する高さに挟み込まれている。
【００１３】
また図５は第２の実施の形態の中空材ユニット１３を示したものである。この中空材ユニット１３は連結補強材５が格子状であり、この格子の交差部１４に中空材本体６が設置されたものである。
【００１４】
この中空材本体６は、図７に示すように、発泡材で成形されたカプセル形の下部中空材９と、これに嵌合された上部中空材である蓋体１５とから構成され、前記下部中空材９同士が上下二段の連結部材８で一体的に連結されてユニットを構成している。また下部中空材９内には、前記と同じ補強部材９ａが形成され、この補強部材９ａ上に形成された十字形の凹溝１２には連結補強材５が設置されて蓋体１５で押さえ付けられている。
【００１５】
また、前記連結部材８には中央部に切り込み１６が設けられて、任意の中空材本体６を簡単に切り取れるようになっている。また十字形の凹溝１２は連結補強材５の交差部１４が嵌め込まれるため、一方が他方の二倍の深さになっている。
【００１６】
よって、前記と同様に、凹溝１２に連結補強材５を設置して、下部中空材９の中空部に蓋体１５の突起１５ａ（逆テーパー面を備えた）を嵌合すると、この嵌合部４に連結補強材５が挟み込まれた中空材ユニット１３が形成できる。また下部中空材９は上下二段の連結部材８で一体的に連結されたので、コンクリートの打設圧による移動がない。
【００１７】
図８は上記の中空材ユニット１３を型枠１７に設置したものであり、連結補強材５がスラブの上端筋１８の近傍に位置して結束されるとともに、該上端筋１８が拘束金物１８ａで型枠１７に拘束されるため、コンクリートの打設時に生じる中空材本体６の浮き上がりに抵抗することができる。
【００１８】
また図９は第３の実施の形態の中空材ユニット１９を示したものである。この中空材ユニット１９は、蓋体１５の代わりにシート２０を下部中空材９の上面に接着したものであり、これ以外は第２の実施の形態の中空材ユニット１３と同じ構成である（連結部材が２段であることも除く）。このシート２０により、蓋体１５と同じように連結補強材５が凹溝１２から抜け出ない。
【００１９】
また図１０は第４の実施の形態の中空材ユニット２１を示したものである。この中空材ユニット２１は、下部中空材９同士が連結部材８で連結されて形成された下部ユニット３に、上部中空材７同士が連結部材８で連結されて形成された上部ユニット２が嵌合されて構成され、該上部ユニット２の連結部材８の上面には硬質部材である保護材２２が設けられている。そして、この保護材２２の上にスラブ上端筋（図示せず）が配筋されて、型枠内へのコンクリートの打設による中空材ユニット２１の浮き上がりを防いでいる。また、この浮き上がりによるスラブ上端筋の押さえ込みによって連結部材８がへこむのを保護材２２で防ぎ、この保護材２２が連結補強材５の代替えにもなる。
【００２０】
なお、第１、２および４の実施の形態の中空材ユニット１、１３、２１のカプセル形の中空材本体における上部中空材または下部中空材を半球形にすることもできる。
【００２１】
また図１１は、第２の実施の形態の中空材ユニット１３の一部を使用したプレキャストコンクリート板２３であり、前記中空材ユニット１３が反転され、かつ上部中空体７および連結補強材５が撤去された状態でコンクリート板２４のトラス筋２５間に設置されたものである。なお、第１、第３および第４の実施の形態の中空材ユニット１、１９、２１を使用してプレキャストコンクリート板を形成することもできる。
【００２２】
また図１２は、第１の実施の形態の中空材ユニット１を使用したコンクリートスラブ２６であり、中空材ユニット１３が適宜間隔ごとにコンクリート２７内に埋設されている。なお、第２〜第４の実施の形態の中空材ユニット１３、１９、２１を使用してコンクリートスラブを構築することもできる。
【００２３】
【発明の効果】
連結補強筋が簡単に取り付けられる中空材ユニットを製造することができる。
【図面の簡単な説明】
【図１】第１の実施の形態の中空材ユニットであり、（１）は平面図、（２）は正面図、（３）は側面図である。
【図２】図１の中空材ユニットの上部ユニットと下部ユニットとを分離したものであり、（１）は正面図、（２）は側面図である。
【図３】第１の実施の形態の中空材ユニットの上部ユニットであり、（１）は平面図、（２）は正面図、（３）は側面図である。
【図４】第１の実施の形態の中空材ユニットの下部ユニットであり、（１）は平面図、（２）は正面図、（３）は側面図である。
【図５】第２の実施の形態の中空材ユニットであり、（１）は平面図、（２）は正面図、（３）は側面図である。
【図６】図５の中空材ユニットの下部中空材と上蓋とを分離した正面図である。
【図７】第２の実施の形態の中空材ユニットであり、（１）は蓋体の正面図、（２）は同底面図、（３）は下部中空材の平面図、（４）および（５）は凹溝の断面図、（６）は連結部材の断面図、（７）は同正面図である。
【図８】第２の実施の形態の中空材ユニットの使用方法を示した図である。
【図９】第３の実施の形態の中空材ユニットであり、（１）は平面図、（２）は正面図、（３）は側面図である。
【図１０】第４の実施の形態の中空材ユニットであり、（１）は正面図、（２）は要部拡大図、（３）は上部ユニットと下部ユニットとを分離した正面図である。
【図１１】プレキャストコンクリート板あり、（１）は断面図、（２）は平面図である。
【図１２】コンクリートスラブの断面図である。
【符号の説明】
１、１３、１９、２１  中空材ユニット
２  上部ユニット
３  下部ユニット
４  嵌合部
５  連結補強材
６  中空材本体
７  上部中空材
７ａ、９ａ  補強部材
８  連結部材
９  下部中空材
１０  嵌合溝
１１  嵌合突起
１２  凹溝
１４  交差部
１５  蓋体
１５ａ  突起
１６  切り込み
１７  型枠
１８  上端筋
１８ａ  拘束金物
２０  シート
２２  保護材
２３  プレキャストコンクリート板
２４  コンクリート
２５  トラス筋
２６  コンクリートスラブ
２７  コンクリート
【図１】
0003654879.tif 000002
【図２】
0003654879.tif 000003
【図３】
0003654879.tif 000004
【図４】
0003654879.tif 000005
【図５】
0003654879.tif 000006
【図６】
0003654879.tif 000007
【図７】
0003654879.tif 000008
【図８】
0003654879.tif 000009
【図９】
0003654879.tif 000010
【図１０】
0003654879.tif 000011
【図１１】
0003654879.tif 000012
【図１２】
0003654879.tif 000013